(57)【特許請求の範囲】
【請求項１】
アンカーを使用して外力に対抗する定着装置において、
複数本の分散ロープと、
前記分散ロープに夫々対応する複数の分散アンカーと、
外力を伝達する接続体と、
前記各分散ロープと分散アンカーとの間に介在し、設定した把持力を超えた力が接続体を介して分散ロープに作用したとき、分散ロープの摺動を許容する緩衝具とからなり、
設定した把持力を超えた力が接続体を介して分散ロープに作用したとき、緩衝具が分散ロープの摺動を許容して前記接続体を介して他の分散ロープに力を分散して伝達することを特徴とする、
定着装置。
【請求項２】
請求項１に記載する定着装置において、外力の作用方向に対し、分散ロープを前記外力を分解した分力方向に沿って配置したことを特徴とする、定着装置。
【請求項３】
ロープ材に作用する荷重をアンカーの反力で支持する防護柵において、
前記ロープ材のアンカー側を請求項１又は請求項２に記載する定着装置の接続体に接続し、
定着体に接続した複数の分散ロープの一端と地山に設置した複数の分散アンカーとの間に、設定した把持力を超えた荷重が接続体を介して分散ロープに作用したとき、分散ロープの摺動を許容することで前記接続体を介して他の分散ロープに力を分散する緩衝具を介在し、
前記ロープ材に作用する荷重を、接続体と複数の分散ロープと緩衝具とを介して複数の分散アンカーで分散して支持するようにしたことを特徴とする、
防護柵。
【発明の詳細な説明】
【０００１】
【発明の属する技術分野】
本発明は、アンカーを使用して外力に対抗する定着装置に関し、さらにこの定着装置を使用してロープ材に作用する荷重を支持するようにした防護柵に関する。
【０００２】
【従来の技術】
落石や雪崩等の落下物から道路や民家等を防護するために、斜面上に防護柵を設置している。
防護柵は、防護ネットや支柱の傾倒を阻止するために控えロープを斜面との間に接続している。控えロープの端部をアンカーに接続して反力を得ることによって、大きな引張力に対抗している。
防護柵用のアンカーは、落石などの衝撃エネルギーを受け止めるために巨大な反力を確保する必要があり、必然的に大きなアンカー耐力で設計しなければならない。
殊に一つのアンカーに複数本の控えロープを接続するなど、一つのアンカーを複数箇所の反力源として使用する場合は、大きなアンカー耐力に設計しなければならない。
【０００３】
【発明が解決しようとする問題点】
防護柵用のアンカーとしてアンカー耐力を大きくするアンカー技術にあっては、次のような問題点がある。
＜イ＞防護柵を設置する現場は、急斜面で起伏の激しい山岳地帯である。アンカー耐力の大きいアンカー装置は、大型化し、重量が増加する。また削孔する施工機器も大型化する。このように大型化し、重量が増加したアンカー装置や施工機器を急斜面で起伏の激しい現場に運搬し、設置するのは多くの労力を必要とし、搬入性及び施工性が極めて悪い。
＜ロ＞落石などの衝撃エネルギーを受け止めるために大きなアンカー耐力の確保が要求されるが、地盤によっては困難な場合があり、設置することができない。
【０００４】
【発明の目的】
本発明は、上記した従来の問題点に鑑みて考えられたもので、搬入性や施工性がよく、しかも大きな反力を得ることができる定着装置及び防護柵を提供することを目的とする。
【０００５】
【課題を解決するための手段】
上記の目的を達成するために、本発明の定着装置は、アンカーを使用して外力に対抗する定着装置において、複数本の分散ロープと、前記分散ロープに夫々対応する複数の分散アンカーと、外力を伝達する接続体と、前記各分散ロープと分散アンカーとの間に介在し、設定した把持力を超えた力が接続体を介して分散ロープに作用したとき、分散ロープの摺動を許容する緩衝具とからなり、設定した把持力を超えた力が接続体を介して分散ロープに作用したとき、緩衝具が分散ロープの摺動を許容して前記接続体を介して他の分散ロープに力を分散して伝達することを特徴とする、定着装置。
また本発明の定着装置は、外力の作用方向に対し、分散ロープを前記外力を分解した分力方向に沿って配置したことを特徴とするものである。
また本発明の防護柵は、ロープ材に作用する荷重をアンカーの反力で支持する防護柵において、前記ロープ材のアンカー側を請求項１又は請求項２に記載する定着装置の接続体に接続し、定着体に接続した複数の分散ロープの一端と地山に設置した複数の分散アンカーとの間に、設定した把持力を超えた荷重が接続体を介して分散ロープに作用したとき、分散ロープの摺動を許容することで前記接続体を介して他の分散ロープに力を分散する緩衝具を介在し、前記ロープ材に作用する荷重を、接続体と複数の分散ロープと緩衝具とを介して複数の分散アンカーで分散して支持するようにしたことを特徴とするものである。
【０００６】
【発明の実施の形態１】
以下、図面を参照しながら本発明に係る一実施の形態について説明する。
【０００７】
＜イ＞  定着装置
図１（ａ）に定着装置１の一例を示す。
定着装置１は、複数本の分散ロープ２と、この分散ロープ２に夫々対応する複数の分散アンカー３とからなり、分散ロープ２の一端を分散アンカー３に接続し、他端を接続体４に接続して構成する。
従来のアンカーは、一つのアンカーに対して引張力などの作用する外力が一つまたは二つ以上であった。
これに対して本発明の定着装置１は、一つの外力を分散して支持するようにしたことが大きな特徴である。
【０００８】
＜ロ＞  分散ロープ
分散ロープ２は、接続体４と複数の分散アンカー３、３とを結ぶものである。分散ロープ２は、例えば複数（３束）の素線束をより合わせて構成する。複数の素線をより合わせて構成する素線束や、複数の素線束の編成方法等については従来技術と同様である。
各分散ロープ２は、力が均等して作用するように、例えば接続体４から等間隔に放射状に配置するのが好ましい。
【０００９】
＜ハ＞  接続体（図２）
接続体４は、外力を分散ロープ２に分散して伝達する部材である。
図２の例は、外力の作用方向に対し、外力を分解した分力方向に沿って、複数の分散ロープ２を配置することを可能にした接続体４である。
接続体４は、リング状に形成した環体４１と、この環体４１に固定して取り付けた複数の取付具４２とからなる。
取付具４２は、筒体４２１とねじ棒４２２とからなり、ねじ棒４２２を環体４１の長孔４１１を介して外側から内側に向けて挿しこみ、ナット４２３をねじ棒４２２にねじ込んで環体４１に締め付けて取り付ける。長孔４１１としたので、取付具４２の取付位置の調整が可能である。
【００１０】
筒体４２１の内側には分散ロープ２を把持する把持部を設ける。把持部は、例えば筒体４２１に開口したテーパ孔４２８にテーパ嵌合する二つ割の楔体４２４からなる楔定着で構成する（図３参照）。
楔体４２４の外周はテーパ孔４２８に一致するテーパ面４２６を形成し、さらに弾性変形しうるようにスリ割４２５を形成する。また内面の溝４２７には細かい凹凸を形成する。
このため、分散ロープ２を溝４２７に収納した状態で外力が作用すると、楔体４２４がテーパ孔４２８に押し付けられて、二つの楔体４２４が分散ロープ２を把持する方向へ接近する。さらにスリ割４２５が弾性変形し、溝４２７の細かい凹凸が分散ロープ２を把持し、分散ロープ２の摺動を阻止する。外力が作用すればするほど、細かい凹凸が分散ロープ２の外周に食い込み、より強固に分散ロープ２を把持する。
楔体４２４をテーパ孔４２８とのテーパ嵌合を解除すると、分散ロープ２を取付具４２から取り外すことができる。
楔体４２４をテーパ孔４２８にテーパ嵌合するだけでよいので、分散ロープ２をワンタッチで取付具４２に取り付けることができる。
【００１１】
環体４１に開口する長孔４１１の向きを、外力の作用方向及び分力方向とすることによって、取付具４２に取り付ける複数の分散ロープ２を外力を分解した分力方向へ沿って配置することができる。
このため、例えば取付具４２の一つに防護柵１０の控えロープ１３を取り付け、控えロープ１３に作用する引張力を分解した分力方向に他の取付具４２を取り付け、これに分散ロープ２を夫々取り付けることによって、控えロープ１３に作用する引張力を分解した分力を分散ロープ２に作用することができる。
【００１２】
＜ニ＞  分散アンカー（図４）
分散ロープ２の本数に対応して分散アンカー３を複数個地盤に設置する。
分散アンカー３は、アンカー頭部３１と、引張り部３２と、グラウト造成したアンカー体３３からなる公知のグラウンドアンカー等を使用できる。
分散アンカー３は、一つの外力を複数に分散して支持するものであるから大きなアンカー耐力を必要としない。
分散アンカー３で支持する外力のほとんどが引張力の場合は、引張り部３２はＰＣ鋼線、ＰＣ鋼より線などを使用し、分散アンカー３にせん断力が加わるときは、ＰＣ鋼棒などを使用する。
この分散アンカー３に分散ロープ２を接続するには、例えばアンカー頭部３１にアンカージョイント３１２を定着ナット３１１，３１１で取り付け、このアンカージョイント３１２の取付孔３１３に巻付グリップ２１の輪を通してから、巻付グリップ２１を分散ロープ２先端に固定することによって行うことができる（図４参照）。
また分散アンカー３は、例えばワイヤロープをナス形に折り曲げてアンカーヘッド３１を形成したワイヤロープアンカー等を使用することができる。
【００１３】
【作用】
以上のごとく本発明の定着装置を構成しているので、図１（ａ）に示すように外力が接続体４に作用すると、外力は接続体４に取り付けられた複数の分散ロープ２、２に分散して、分力として伝わる。
夫々の分力は分散ロープ２、２を介して複数の分散アンカー３、３に伝わり、各分散アンカー３の反力で支持することができる。
【００１４】
本発明では、一つの外力を各分散ロープ２に分散して分散アンカー３に伝えるものであるから、一つ一つの分散アンカー３には大きな荷重がかからず、アンカー耐力の小さなアンカーでよい。
このため、分散アンカー３は、重量が軽く、山岳地帯に設置する場合などにおいて搬入性、施工性がよい。
【００１５】
【発明の実施の形態２】
分散ロープ２を分散アンカー３に接続する場合に、分散ロープ２と分散アンカー３との間に緩衝具５を介在してもよい（図１（ｂ））。
緩衝具５の一例としては、２つの挟持体５１と締付用のボルト５２およびナット５３などで構成するものが挙げられる（図５（ａ）参照）。分散ロープ２をアンカージョイント３１２の取付孔３１３に通して折り返す。
挟持体５１に、分散ロープ２と折り返した分散ロープ２の夫々を収容する二つの溝５４を刻設し、溝５４内に分散ロープ２が収容されるように、挟持体５１を分散ロープ２の両側から夫々当接し、貫通孔５５にボルト５２を通してナット５３で締め付け、分散ロープ２を把持する。ボルト５２，ナット５３の締結力によって分散ロープ２の把持力（圧着力）を調整できるようになっている。
ボルト５２及びナット５３で分散ロープ２を所定の摩擦力で把持し、分散ロープ２に設定以上の張力が作用したときに、分散ロープ２の摺動を許容するものである。
緩衝具５を介在することによって、分散ロープ２が緩衝具５に対して摺動するので、外力を効果的に吸収する。
力の方向によって一つの分散ロープ２に大きな荷重がかかると、分散ロープ２が次々と切断する恐れがある。緩衝具５を介在することによって、分散ロープ２が摺動しながらエネルギーを吸収し、隣り合う分散ロープ２に荷重を分担していくことができる。
【００１６】
また緩衝具５の他の例としては、Ｕボルト５６、２つの挟持体５７、締付用のボルト５８などで構成するものが挙げられる（図５（ｂ））。
挟持体５７に、分散ロープ２を収容する溝を刻設し、ここに分散ロープ２を収容してボルト５８を締め付け、分散ロープ２を把持する。
Ｕボルト５６の一端を分散アンカー３のアンカー頭部３１に取り付ける。
分散ロープ２を所定の摩擦力で把持し、分散ロープ２に設定以上の張力が作用したときに、分散ロープ２の摺動を許容するものである。
【００１７】
【発明の実施の形態３】
接続体４は、図７に示すように、外力を単に分散して複数の分散ロープ２に伝達する構成であってもよい。
接続体４は、リング状に形成した環体４１と、この環体４１に分散ロープ２を取り付ける複数の取付具４２とからなる。
取付具４２は、例えばワイヤクリップ等からなり、分散ロープ２を環体４１に引っ掛けて折り返し、ワイヤクリップ４２で固定して分散ロープ２を環体４１に取り付ける。
このため、例えば環体４１に控えロープ１３等を引っ掛けて折り返し、ワイヤクリップ４２で固定し、控えロープ１３に作用する引張力の延長線上で、これを分散する方向に複数の分散ロープ２を夫々環体４１に引っ掛けて折り返し、ワイヤクリップ４２で取り付けることによって、控えロープ１３に作用する引張力を複数の分散ロープ２に分散して作用することができる。
【００１８】
次に図６を参照して、本発明の定着装置１を防護柵１０に使用する場合について説明する。
【００１９】
＜イ＞  控えロープ１３に接続体４を接続
図６に示す防護柵１０は、所定の間隔を隔てて立設した支柱１１間にネット１２を張り巡らしたものである。
支柱１１には谷側控えロープ１３ａと山側控えロープ１３ｂを取り付ける。また両端の支柱１１には防護柵１０面内の側方地盤との間に側方控えロープ１３ｃを取り付ける。
環体４１に複数の取付具４２を取り付けて構成した接続体４を準備しておく（図２、図３参照）。
各控えロープ１３の斜面１３側を接続体４の取付具４２に取り付ける。
取付具４２は、前記した構造となっているため、控えロープ１３をワンタッチで取り付けることができる。
【００２０】
＜ロ＞  分散ロープ２の配置
外力（控えロープ１３に作用する引張力）を分解する分力方向に取り付けた取付具４２に複数の分散ロープ２を把持し、分散ロープ２を分力方向に沿って配置する。
図６には、３本の分散ロープ２を取り付けているが、２本または４本以上でもよい。
【００２１】
＜ハ＞  分散ロープ２を分散アンカー３に接続
分散ロープ２の延長線上の斜面１３に分散アンカー３を設置する。即ち、分散アンカー３を設置する箇所は、控えロープ１３の作用方向及びこれらの分力の作用方向の３箇所となっている。
各分散ロープ２の夫々の一端を、アンカージョイント３１２の取付孔３１３に巻付グリップ２１の輪を通して、分散アンカー３に接続する（図４参照）。
分散ロープ２を分散アンカー３に接続しているので、外力が作用した場合は、分散ロープ２を介して分散された外力を分散アンカー３の反力で支持することができる。
【００２２】
図示していないが、支柱１１間に架設する水平ロープについても、従来のアンカー装置に接続する端部を、本発明の定着装置１に接続することができる。
即ち、水平ロープの端部を接続体４の取付具４２に取り付ける。
取付具４２は、前記した構造となっているため、水平ロープをワンタッチで取り付けることができる。
控えロープ１３の場合と同様に、水平ロープに作用する引張力を分解する分力方向に取り付けた取付具４２に複数の分散ロープ２を把持し、分散ロープ２を分力方向に沿って配置する。
分散ロープ２の延長線上の斜面１３に分散アンカー３を設置し、各分散ロープ２の夫々の一端を分散アンカー３に接続すればよい。
【００２３】
＜ニ＞衝撃吸収作用
落石などがネット１２に衝突すると、衝撃力はネット１２から支柱１１へ伝わり、支柱１１が傾倒しようとする。支柱１１に控えロープ１３を接続しているので、支柱１１が山側あるいは谷側に傾倒しようとすることによって控えロープ１３には引張り力が作用する。
引張力は接続体４に伝わり、接続体４から各分散ロープ２に引張力を分解した分力が伝わる。
各分散ロープ２に伝わった分力が夫々分散アンカー３に伝わる。
大きな引張力が作用した場合でも、この引張力を複数の分力に分散して各分散ロープ２から夫々分散アンカー３に伝わるので、一つ一つの分力は小さなものとなり、アンカー耐力の小さな分散アンカー３でも十分に支持することができる。
【００２４】
【発明の効果】
本発明の定着装置及び防護柵は、以上説明したようになるから次のような効果を得ることができる。
＜イ＞  外力を伝達する接続体と複数の分散アンカーとの間を複数本の分散ロープで結ぶものであるから、外力が作用した場合、外力を分散し、分散された分力が分散アンカーに伝わるので、一つ一つの分散アンカーはアンカー耐力の小さなものでよく、山岳地帯に設置する場合などにおいて搬入性、施工性がよい。
＜ロ＞  分散ロープを外力を分解した分力方向に沿って配置することとしたので、各分散ロープには分力しか作用することがなく、大きな外力が作用しても分散ロープを介して分散した分力が夫々の分散アンカーに伝わるため、大きなアンカー耐力を確保する必要がなく、これまで設置が困難であった地盤にも設置することができる。
＜ハ＞  分散ロープと分散アンカーとの間に緩衝具を介在したので、一つの分散ロープに大きな荷重がかかっても分散ロープが摺動して荷重を吸収し、隣り合う分散ロープへ荷重が順次伝達して吸収することができる。
＜ニ＞  小型化した分散アンカーを使用するので、急斜面で起伏の激しい山岳地帯でも、多くの労力を必要とすることなく、防護柵を設置することができ、搬入性及び施工性のよい防護柵を提供することができる。
【図面の簡単な説明】
【図１】（ａ）は本発明の定着装置を示す説明図。（ｂ）は緩衝具を介在した本発明の定着装置を示す説明図。
【図２】接続体を示す説明図。
【図３】取付具を示す説明図。
【図４】分散ロープと分散アンカーの関係を示す説明図。
【図５】緩衝具の例を示す説明図。
【図６】防護柵に本発明の定着装置を使用した状態を示す斜視図。
【図７】他の接続体を示す説明図。
【符号の説明】
１・・・定着装置
２・・・分散ロープ
３・・・分散アンカー
４・・・接続体
４１・・環体
４２・・取付具
５・・・緩衝具
１０・・防護柵
１１・・支柱
１２・・ネット
１３・・控えロープ
１４・・斜面
【図１】
0003680207.tif 000002
【図２】
0003680207.tif 000003
【図３】
0003680207.tif 000004
【図４】
0003680207.tif 000005
【図５】
0003680207.tif 000006
【図６】
0003680207.tif 000007
【図７】
0003680207.tif 000008